(57)【要約】【課題】表示部の限られた画面サイズの中でより多くの項目、特に商品の特定に必要な項目に関する情報を表示できるようにする。【解決手段】表示部に表示された登録画面の商品データ表示エリアが指示操作されたことを検知する手段を設ける。そして、商品データ表示エリアが指示操作されたことを検知する毎に、この表示エリアに表示する商品データの項目を切り替える。そして、商品データのなかから表示エリアに表示する項目のデータを抽出し画面を編集して、この編集された画面を表示部に表示させる。【選択図】      図７
2006127043.tif 000002
【特許請求の範囲】
【請求項１】
販売商品を特定するコードの入力手段を有し、前記コードが入力されるとそのコードに関連付けられて設定されている前記販売商品の商品名，単価等を取得し、このコード，商品名，単価等の商品データに基づいて商品販売データを処理する商品販売データ処理装置において、
前記商品データの表示エリアを有する画面を表示可能な表示部と、
この表示部に表示された画面の前記表示エリアが指示操作されたことを検知する操作検知手段と、
この操作検知手段により前記表示エリアが指示操作されたことを検知する毎に前記表示エリアに表示する前記商品データの項目を切り替える表示項目切替手段と、
前記商品データのなかから前記表示エリアに表示する項目のデータを抽出し前記画面を編集する画面編集手段と、
この画面編集手段により編集された画面を前記表示部に表示させる表示制御手段と、
を具備したことを特徴とする商品販売データ処理装置。
【請求項２】
前記表示エリアは複数の表示項目を含み、
前記表示項目切替手段は、前記表示エリアが指示操作されると該表示エリアに含まれる複数の表示項目の表示データを切り替えることを特徴とする請求項１記載の商品販売データ処理装置。
【請求項３】
前記表示項目切替手段は、表示項目として商品名を含み、コードを含まない第１のパターンと、コードを含み、商品名を含まない第２のパターンとを交互に切り替えることを特徴とする請求項１または２記載の商品販売データ処理装置。
【請求項４】
前記表示部はタッチパネルを備えており、
前記操作検知手段は、前記表示部に表示された画面の前記表示エリア内がタッチ操作されたことを前記タッチパネルからの信号により認識すると指示操作有りとすることを特徴とする請求項１乃至３のいずれかに記載の商品販売データ処理装置。
【発明の詳細な説明】
【技術分野】
【０００１】
本発明は、電子式キャッシュレジスタ，ＰＯＳ（Point Of Sales）端末等の商品販売データ処理装置に関する。
【背景技術】
【０００２】
一般的に、この種の商品販売データ処理装置は、データの入力手段としてキーボードとスキャナを有しており、表示手段としてオペレータ用のディスプレイと顧客用のディスプレイとを備えている。そして、入力手段を介して販売商品を特定するコードが入力されると、そのコードに関連付けられて設定されている販売商品の商品名，単価，部門，税区分等の商品データを取得し、この商品データに基づいて販売点数，販売金額等の販売データを売上登録処理するとともに、商品データ及び販売データをオペレータ用及び顧客用の各ディスプレイにそれぞれ表示させるようになっている。
【０００３】
ただし、ディスプレイの画面サイズは、設置スペースや価格的な要因から現状ではＳＶＧＡ（Super Video Graphics Array）仕様以下が主流であり、オペレータの見易さを考慮すると文字サイズの縮小化に限界があるため、商品データ及び販売データの全ての項目を一画面に表示させることは不可能である。このため従来は、商品名，単価，販売点数，販売金額，税区分などを一画面で表示させ、文字数が多い商品名とコードの双方を一画面で表示させることは、画面サイズと文字サイズの制約から行われていないのが実情であった（例えば、特許文献１参照）。
【特許文献１】特開２００４−２３４５７２号公報
【発明の開示】
【発明が解決しようとする課題】
【０００４】
上述したように、従来のこの種の商品販売データ処理装置においては、表示部の画面サイズと文字サイズに制約があるため、商品データ及び商品販売データのうち予め設定された項目のデータしか画面上に表示させることはできなかった。特に、項目「商品名」と「コード」はどちらも文字数が多いので、双方を表示項目として設定することは困難であった。このため、通常は商品名を表示させれば誰でも商品を特定できるので、項目「商品名」を表示項目とし、項目「コード」は非表示項目としていた。
【０００５】
しかし、ユーザによっては商品名を詳細に設定せず、例えば雑誌，週刊誌，ガム，チョコレート等のように群単位で設定することがある。このような場合、異なる商品でも同一の商品名が設定されることがあるので、商品名の表示だけでは商品を特定し難くなるという問題があった。
【０００６】
本発明はこのような事情に基づいてなされたもので、その目的とするところは、表示部の限られた画面サイズの中でより多くの項目に関する情報を表示させることができ、表示情報から商品を確実に特定することができる商品販売データ処理装置を提供しようとするものである。
【課題を解決するための手段】
【０００７】
本発明は、販売商品を特定するコードの入力手段を有し、コードが入力されるとそのコードに関連付けられて設定されている販売商品の商品名，単価等を取得し、このコード，商品名，単価等の商品データに基づいて商品販売データを処理する商品販売データ処理装置において、商品データの表示エリアを有する画面を表示可能な表示部と、この表示部に表示された画面の表示エリアが指示操作されたことを検知する操作検知手段と、この操作検知手段により表示エリアが指示操作されたことを検知する毎に表示エリアに表示する商品データの項目を切り替える表示項目切替手段と、商品データのなかから表示エリアに表示する項目のデータを抽出し画面を編集する画面編集手段と、この画面編集手段により編集された画面を表示部に表示させる表示制御手段とを備えたものである。
【発明の効果】
【０００８】
かかる手段を講じた本発明によれば、表示部の限られた画面サイズの中でより多くの項目、特に商品の特定に必要な項目に関する情報を表示させることができ、表示情報から商品を確実に特定することができる商品販売データ処理装置を提供できる。
【発明を実施するための最良の形態】
【０００９】
以下、本発明を実施するための最良な形態について、図面を用いて説明する。  
なお、この実施の形態は、商品販売データ処理装置の一態様であるＰＯＳ端末に本発明を適用した場合である。
【００１０】
図１はＰＯＳ端末１の外観構成を示す斜視図である。ＰＯＳ端末１は、キーボード２，オペレータ用ディスプレイ３，客用ディスプレイ４及びレシート，ジャーナル印字用のプリンタ５を搭載している。また、現金などを収容するためのドロワ６を形成している。
【００１１】
オペレータ用ディスプレイ３は、ＳＶＧＡ仕様のＴＦＴ（Thin Film Transistor）液晶ディスプレイであり、その表示面上にタッチパネル７が積層配置されている。このオペレータ用ディスプレイ３には、商品販売データの処理に際して、図２に示す如くレイアウトされた登録画面３０が表示されるようになっている。この登録画面３０には、１商取引として販売される商品の商品名，部門コード，単価，販売点数，販売金額及び税区分を一覧表示する登録明細エリア３１と、直前に商品コードが入力された商品の商品名，税区分，部門コード，単価，販売点数及び販売金額を表示する登録商品エリア３２と、１商取引の売上点数，値引合計額，小計金額，外税額，請求金額，預り金額及び釣銭額を表示する会計情報エリア３３とが形成されている。
【００１２】
さて本実施の形態では、図２に示すように、直前に商品コードが入力された商品の商品データである商品名，税区分，部門コード及び単価と、販売データである点数及び金額が登録商品エリア３２に表示されている状態で、この登録商品エリア３２内がタッチ操作されると、図３に示すように、商品名に代えて商品コードを表示させるようになっている。また、図３に示す如く商品コードが表示されている状態で登録商品エリア３２内がタッチ操作されると、図２に示す如く商品名の表示に戻すようになっている。  
以下、このような表示切替機能を実現するための要部構成について具体的に説明する。
【００１３】
図４はＰＯＳ端末１の内部構成を示すブロック図である。ＰＯＳ端末１は、制御部本体としてＣＰＵ（Central Processing Unit）１１を搭載している。また、ＣＰＵ１１が実行するプログラム等の固定的データが予め格納されたＲＯＭ（Read Only Memory）１２、商品販売データを処理するのに必要な種々のメモリエリアが形成されるＲＡＭ（Random Access Memory）１３、現在の日時を計時する時計部１４、スキャナ（不図示）で読取られたバーコードデータを取込むスキャナインターフェイス１５、ストアサーバ８とのデータ通信を制御する通信コントローラ１６、キーボード２を制御して操作キーの信号を取込むキーボードコントローラ１７、タッチパネル７を制御してタッチ位置座標に対応した信号を取込むタッチパネルコントローラ１８、オペレータ用ディスプレイ３を制御して商品データや販売データ等を表示させる第１の表示コントローラ１９、客用ディスプレイ４を制御して商品データや販売データ等を表示させる第２の表示コントローラ２０、プリンタ５を制御してレシート印字及びジャーナル印字等を行わせるプリンタコントローラ２１、ドロワ６を開放させるための信号を出力するＩ／Ｏポート２２等を搭載している。そして、ＣＰＵ１１と、ＲＯＭ１２，ＲＡＭ１３，時計部１４，スキャナインターフェイス１５，通信コントローラ１６，Ｉ／Ｏポート２２及び各種入出力機器のコントローラ１７〜２１とを、アドレスバス，データバス等のバスライン２３で電気的に接続している。
【００１４】
ストアサーバ８には、各商品を特定するための商品コードと、この商品コードに関連付けられて予め設定された商品名，単価，部門コード，税区分等の商品テータを蓄積記憶してなる商品ファイル９が設けられている。そしてＰＯＳ端末１は、ＬＡＮ（Local Area Network）等の通信回線を介してストアサーバ８にアクセスすることによって、商品ファイル９の任意データを取得できるようになっている。なお、商品ファイル９は、ＰＯＳ端末１の記憶部、例えばＲＡＭ１３やＨＤＤ装置（不図示）に保存されていてもよい。
【００１５】
かかる構成のＰＯＳ端末１は、図５に示すように、登録画面３０の登録明細エリア３１に表示される商品データ（商品コード，商品名，部門コード，単価，税区分）及び販売データ（販売点数，販売金額）を販売商品別に記憶する登録明細バッファ５１と、登録商品エリア３２に表示される同商品データ及び販売データを記憶する登録商品バッファ５２と、会計情報エリア３３に表示される会計データ（売上点数，値引合計額，小計金額，外税額，請求金額，預り金額及び釣銭額）を記憶する会計情報バッファ５３とが、ＲＡＭ１３形成されている。
【００１６】
またＲＡＭ１３には、図６に示す如く、登録商品エリア３２の位置情報（上段１，上段２，下段１，下段２，下段３，下段４）に対応して、複数の画面項目パターンを記憶可能な項目パターンテーブル６１と、各画面項目パターンを識別するための画面番号ｎを計数する画面番号カウンタ６２のエリアが形成されている。そして本実施の形態では、位置情報「上段１」に対して項目「商品名」が設定され、位置情報「上段２」に対して項目「税区分」が設定され、位置情報「下段１」に対して項目「部門」が設定され、位置情報「下段２」に対して項目「単価」が設定され、位置情報「下段３」に対して項目「点数」が設定され、位置情報「下段４」に対して項目「金額」が設定された画面番号“１”の画面項目パターンと、この画面番号“１”の画面項目パターンの位置情報「上段１」に対する項目を「商品コード」とし、その他は画面番号“１”の画面項目パターンと共通とした画面番号“２”の画面項目パターンとが記憶されている。
【００１７】
しかしてＣＰＵ１１は、１商取引に対する登録画面３０の登録商品エリア３２の表示を図７の流れ図に示す手順で制御するものとなっている。すなわちＣＰＵ１１は、ＳＴ（ステップ）１として１商取引における最初の商品登録が行われるのを待機する。そして、スキャナによるバーコードスキャニング操作あるいはキーボード２の置数キー操作により商品コードが入力されると商品登録有りと判断し、ＳＴ２として登録明細バッファ５１，登録商品バッファ５２及び会計情報バッファ５３をクリアした後、ＳＴ３の処理に進む。
【００１８】
ＳＴ３では、ＣＰＵ１１は、入力された商品コードで商品ファイル９を検索して、当該商品コードに対応して設定されている商品名，単価，部門コード，税区分等の商品テータを取得する。そして、単価に販売点数（商品コードの入力直前にキー操作により乗数が入力されている場合にはその乗数、乗数が入力されていない場合には１）を乗算して販売金額を算出したならば、この商品コード，商品名，部門コード，単価及び税区分の商品データと販売点数及び販売金額の販売データとを登録商品バッファ５２へ格納する。
【００１９】
次に、ＣＰＵ１１は、ＳＴ４として画面番号カウンタ６２のカウント値ｎを“１”に初期化する。
【００２０】
次に、ＣＰＵ１１は、ＳＴ５として項目パターンテーブル６１から画面番号ｎ（ｎは画面番号カウンタ６２のカウント値）の画面項目パターンを読み出す。そして、ＳＴ６としてこの画面項目パターンの各項目に対する商品データ及び販売データを登録商品バッファ５２から取得したならば、ＳＴ７としてこの取得した各項目のデータと当該項目に対応する位置情報とから登録商品エリア３２の画面データを編集する（画面編集手段）。
【００２１】
しかる後、ＣＰＵ１１は、ＳＴ８として編集された登録商品エリア３２の画面データを登録画面３０に表示させる（表示制御手段）。この状態で、ＣＰＵ１１は、ＳＴ９として登録画面３０がタッチ操作されるか、ＳＴ１０として次の商品登録が行われるか、ＳＴ１１として登録締め操作が行われるのを待機する。
【００２２】
ここで、タッチパネルコントローラ１８に入力されるタッチパネル７からの信号によりタッチ操作有りを判断した場合には、ＣＰＵ１１は、ＳＴ１２としてその信号を解析することにより登録画面３０のどの領域がタッチ操作されたか調べる。そして、登録商品エリア３２内がタッチ操作されたことを検知した場合には（操作検知手段）、登録商品エリア３２が指示操作されたので、ＣＰＵ１１は、ＳＴ１３として画面番号カウンタ６２をカウントアップする。その結果、ＳＴ１４として画面番号カウンタ６２のカウント値Ｎが項目パターンテーブル６１に記憶されている画面項目パターンの最大画面番号Ｎを超えた場合にはＳＴ４の処理に進み、超えていない場合にはＳＴ５の処理に進んで、ＳＴ５〜ＳＴ８の各処理を再び実行する（表示項目切替手段，画面編集手段，表示制御手段）。
【００２３】
一方、次の商品登録が行われた場合には、ＣＰＵ１１は、ＳＴ１５として登録商品バッファ５２のデータを登録明細バッファ５１へ転送する。そして、ＳＴ１６として登録商品バッファ５２をクリアする。しかる後、ＳＴ３の処理に進んで、ＳＴ３〜ＳＴ８の各処理を再び実行する（画面編集手段，表示制御手段）。
【００２４】
また、キーボードコントローラ１７に入力される信号により登録締め操作が行われたと判断した場合には、ＣＰＵ１１は、ＳＴ１７として登録商品バッファ５２のデータを登録明細バッファ５１へ転送する。かくしてＣＰＵ１１は、登録商品エリア３２の表示制御を終了し、以後は、登録明細バッファ５１に保存された商品データ及び販売データに基づいて登録締め処理を実行する。
【００２５】
このように構成された本実施の形態のＰＯＳ端末１においては、顧客が買上げる商品の商品コードをキャッシャがバーコードスキャニング操作あるいは置数キー操作によって入力すると、その商品コードに対応して設定されている商品名，単価，部門コード，税区分等の商品テータが商品ファイル９から検索される。そして、この商品データ中の単価と販売点数とから販売金額が算出され、登録商品バッファ５２に、当該商品コード，商品名，部門コード，単価及び税区分の商品データと販売点数及び販売金額の販売データが格納される。
【００２６】
また、画面番号カウンタ６２のカウント値ｎが“１”に初期化される。これにより、画面番号１の画面項目パターンに基づいて登録商品エリア３２の画面データが編集され、登録画面３０の登録商品エリア３２に表示される。本実施の形態では、画面番号１の画面項目パターンとして位置情報「上段１」に対して項目「商品名」が設定され、位置情報「上段２」に対して項目「税区分」が設定され、位置情報「下段１」に対して項目「部門」が設定され、位置情報「下段２」に対して項目「単価」が設定され、位置情報「下段３」に対して項目「点数」が設定され、位置情報「下段４」に対して項目「金額」が設定されているので、図２に示すように、登録商品エリア３２の上段には、「商品Ａ」（商品名）と［外］（税区分）が表示され、下段には「００１」（部門コード）と「５００円」（単価）と「１点」（販売点数）と「５００円」（販売金額）が表示される。
【００２７】
この状態で、キャッシャが次の買上商品の商品コードを入力すると、登録商品エリア３２に表示されていた商品名，税区分，部門コード，単価，販売点数及び販売金額の各データが登録明細エリア３１の１行目に表示される。そして、登録商品エリア３２には、次の買上商品の商品名，税区分，部門コード，単価，販売点数及び販売金額の各データが表示される。
【００２８】
また、図２に示す状態において、キャッシャが登録商品エリア３２内を指でタッチ操作すると、画面番号６２のカウント値ｎが“２”にカウントアップされる。これにより、画面番号２の画面項目パターンに基づいて登録商品エリア３２の画面データが編集され、登録画面３０の登録商品エリア３２に表示される。本実施の形態では、画面番号２の画面項目パターンとして位置情報「上段１」に対して項目「商品コード」が設定され、位置情報「上段２」〜「下段４」までは画面番号１の画面項目パターンと同一項目が設定されているので、図３に示すように、登録商品エリア３２の上段に表示されていた商品名「商品Ａ」が、当該商品の商品コード「４９１２３４５６７８９０１」に切り替えられる。
【００２９】
この状態で、キャッシャが次の買上商品の商品コードを入力した場合には、前記と同様に登録商品エリア３２に商品コードが表示されている商品の商品名，税区分，部門コード，単価，販売点数及び販売金額の各データが登録明細エリア３１の１行目に表示される。そして、登録商品エリア３２には、次の買上商品の商品名，税区分，部門コード，単価，販売点数及び販売金額の各データが表示される。
【００３０】
また、図３に示す状態において、キャッシャが登録商品エリア３２内を再びタッチ操作すると、画面番号６２のカウント値ｎが“１”にリセットされるので、登録商品エリア３２の表示内容は図２に示す状態に戻される。
【００３１】
このように本実施の形態によれば、画面サイズや文字サイズの制約により商品名と商品コードとを一画面上で表示させることができないオペレータ用ディスプレイ３を有するＰＯＳ端末１においても、登録商品エリア３２内を指でタッチ操作するだけの簡単な操作によって、販売登録した商品の商品名と商品コードとを交互に表示させることができる。したがって、異なる商品でも同一の商品名が設定されており商品名の表示だけでは商品を特定し難い場合でも商品コードを確認すれば特定が可能なので、簡単な操作によって商品を確実に特定できる効果を奏する。
【００３２】
また登録商品バッファ５２には、顧客が買上げる商品の商品コードの入力に応じて商品ファイル９から取得した各項目のデータのうち、登録商品エリア３２に表示されている項目のデータだけでなく、表示されていない項目のデータも記憶し、表示の切替指示があった際には登録商品バッファ５２から表示されていない項目のデータを取得して表示するようにしたので、表示されていない情報を表示させる場合に新たに商品ファイル９を検索して必要な情報を取得する必要がない。したがって、表示処理の高速化を実現することができる。
【００３３】
なお、この発明は前記実施形態そのままに限定されるものではなく、実施段階ではその要旨を逸脱しない範囲で構成要素を変形して具体化できる。
【００３４】
例えば前記実施の形態では、登録商品エリア３２内のタッチ操作によって商品名と商品コードとを交互に切替表示させる場合を示したが、各商品の商品画像データを商品ファイル９に設定するとともに、項目パターンテーブル６１に位置情報「上段１」に対する項目を「商品画像」とし、その他は画面番号“１”，“２”の画面項目パターンと共通とした画面番号“３”の画面項目パターンを記憶することによって、登録商品エリア３２内のタッチ操作により商品名，商品コード，商品画像，商品名の順に商品を特定できる情報を切替表示させることも可能である。
【００３５】
また、登録商品エリア３２内のタッチ操作によって商品名と商品コードとを交互に切替表示させる前記実施の形態と同様な構成を用いることによって、登録明細エリア３１内のタッチ操作によって商品名と商品コードとを交互に切替表示させるように構成することも可能である。ただし、登録明細エリア３１に表示されている各登録商品のデータは、１商取引内で選択的に削除したり修正したりできるようにする必要があるため、１回目のタッチ操作では、そのタッチ操作された行の商品データが選択された状態とし、２回目以降のタッチ操作によって当該商品データの商品名と商品コードとを交互に切替表示させるように構成することが望ましい。
【００３６】
また、前記実施の形態では、登録商品エリア３２内をタッチ操作することによって、そのタッチ位置に拘らず該エリア３２内の全ての表示項目の表示データを切り替えたが、タッチ操作された位置に表示されている項目の表示データのみを切り替えるようにすることも可能である。
【００３７】
すなわち、画面番号カウンタ６２を、図８に示すように、登録商品エリア３２の位置情報別にカウント値ｎ１〜ｎ６を有する画面番号カウンタ７１とする。そして、図７の流れ図に示す各処理ステップＳＴ１〜ＳＴ１７において、ステップＳＴ４では、商品登録が行われた際には位置情報別の全てのカウント値ｎ１〜ｎ６を“１”に初期化する。また、ステップＳＴ１２でタッチ操作された部位が登録画面３０の登録商品エリア３２内であるとき、そのエリア３２内のどの項目の位置がタッチ操作されたかを判別し、ステップＳＴ１３ではタッチ操作されたと判別された項目の位置情報に対応したカウント値ｎｘ（１≦ｘ≦６）だけをカウントアップする。そして、ステップＳＴ１４では、ＳＴ１３の処理でカウントアップされたカウント値ｎｘが画面項目パターンの最大画面番号Ｎを超えたか否かを判断し、超えた場合には、ステップＳＴ４にて当該カウント値ｎｘだけを“１”に戻す。
【００３８】
上記の如く一部の構成を変更することによって、複数項目の表示データが表示されている登録商品エリア３２内をタッチ操作することによって、そのタッチ操作された位置に表示されている項目の表示データのみを切り替えることができる。
【００３９】
また、前記実施の形態では、オペレータ用ディスプレイ３の表示面にタッチパネル７を配置し、画面のタッチ操作を検知することによって表示エリアの指示操作を検知したが、マウスなどのポインティングデバイスを接続し、このポインティングデバイスの操作によりポインタがクリックされた位置を表示エリアの指示操作位置として検知するように構成することによって、タッチパネル７を有さないＰＯＳ端末にも本発明を適用できるものである。
【００４０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４１】
【図１】本発明の一実施の形態であるＰＯＳ端末の外観構成を示す斜視図。
【図２】同ＰＯＳ端末のオペレータ用ディスプレイに表示される登録画面の商品名表示時の一例を示す平面図。
【図３】同ＰＯＳ端末のオペレータ用ディスプレイに表示される登録画面の商品コード表示時の一例を示す平面図。
【図４】同ＰＯＳ端末の要部構成を示すブロック図。
【図５】同ＰＯＳ端末のＲＡＭに形成される登録明細バッファ，登録商品バッファ及び会計情報バッファの構成を示す模式図。
【図６】同ＰＯＳ端末のＲＡＭに形成される項目パターンテーブル及び画面番号カウンタの構成を示す模式図。
【図７】同ＰＯＳ端末のＣＰＵが実行する登録商品エリア表示制御手順の要部を示す流れ図。
【図８】本発明の他の実施の形態で用いる画面番号カウンタのデータ構造を示す模式図における同ＰＯＳ端末のＣＰＵが実行する登録商品エリア表示制御手順の要部を示す流れ図。
【符号の説明】
【００４２】
１…ＰＯＳ端末、２…キーボード、３…オペレータ用ディスプレイ、４…客用ディスプレイ、５…プリンタ、６…ドロワ、７…タッチパネル、９…商品ファイル、１１…ＣＰＵ、１２…ＲＯＭ、１３…ＲＡＭ、３０…登録画面、５１…登録明細バッファ、５２…登録商品バッファ、５３…会計情報バッファ、６１…項目パターンテーブル、６２…画面番号カウンタ。
【図１】
2006127043.tif 000003
【図２】
2006127043.tif 000004
【図３】
2006127043.tif 000005
【図４】
2006127043.tif 000006
【図５】
2006127043.tif 000007
【図６】
2006127043.tif 000008
【図７】
2006127043.tif 000009
【図８】
2006127043.tif 000010